(57)【要約】【課題】  覆える範囲を調整できるリュックサック用傘を提供することを課題とする。【解決手段】  覆える範囲を調整できるリュックサック用傘であって、左側及び右側にピンと軸受とを備える矩形フレームと、該矩形フレームと結合して矩形の被覆体を形成する傘布と、各々防水扇面布を備え且つ各底部に各々心棒を有し、該矩形フレームの該左側軸受及び該右側軸受と結合する左側扇子及び右側扇子と、該矩形被覆体を該左側扇子及び該右側扇子と結合することで傘被覆体を形成するために用いられる二組のベルクロ（登録商標）と、各棒ヒンジは支持枠と支持棒とを備え、各該棒ヒンジの該支持棒が拡開して立てた時、該傘被覆体と２個の棒ヒンジが傘を形成し、且つ該傘両側の扇子角度が調整でき、又は取り外して通常の扇子として使用できる２個の棒ヒンジと、を含む。【選択図】図５
2018033934.tif 000002
【特許請求の範囲】
【請求項１】
覆える範囲を調整できるリュックサック用傘であって、
左側及び右側にピン（ｐｉｎ）と軸受（ｂｅａｒｉｎｇ）とを備える矩形フレームと、
前記矩形フレームと結合して矩形の被覆体を形成する傘布と、
各々防水扇面布を備え且つ各底部に各々心棒を有し、前記矩形フレームの前記左側軸受及び前記右側軸受と結合する左側扇子及び右側扇子と、
前記矩形被覆体を前記左側扇子及び前記右側扇子と結合することで傘被覆体を形成し、前記左側扇子及び前記右側扇子の扇子角度を操作することによって前記傘被覆体の覆える範囲を調整するために用いられる二組のベルクロ（登録商標）（Ｖｅｌｃｒｏ）と、
各棒ヒンジは支持枠と支持棒とを備え、各前記支持棒の一端にストッパーと挿入孔とを有し、各々前記挿入孔を通じて前記矩形フレームのピンと連結し、且つ各々締め具を通じて前記リュックサックの両肩ベルトと結合し、各前記棒ヒンジの前記支持棒が拡開して立て且つ前記矩形フレームが前記ストッパー上に固定された時、前記傘被覆体と前記２個の棒ヒンジが傘を形成し、前記傘両側の扇子角度が調整でき、又は取り外して通常の扇子として使用でき、各前記棒ヒンジの前記支持棒を畳み込み且つ前記矩形フレームが前記リュックサック上に置いた時、前記左側扇子或いは前記右側扇子を取り外して通常の扇子として使用できる２個の棒ヒンジ（ｒｏｄ  ｈｉｎｇｅ）と、
を含むことを特徴とする覆える範囲を調整できるリュックサック用傘。
【請求項２】
覆える範囲を調整できるリュックサック用傘であって、
左側及び右側にピンを備えた矩形フレーム、前記矩形フレームと連結し、各々複数の中骨を備え、前記複数の中骨を操作することによって左側扇子フレーム及び右側扇子フレームの扇子角度を調整できる左側扇子フレーム及び右側扇子フレームと、
前記矩形フレーム、前記左側扇子フレーム及び前記右側扇子フレームと結合して傘被覆体を形成し、前記左側扇子フレーム或いは前記右側扇子フレームの扇子角度を操作することによって前記傘被覆体の覆える範囲を調整できる傘布と、
各棒ヒンジは支持枠と支持棒とを備え、各前記支持棒の一端にストッパーと挿入孔とを有し、各々前記挿入孔を通じて前記矩形フレームのピンと連結し、且つ各々締め具を通じて前記リュックサックの両肩ベルトと結合し、各前記棒ヒンジの前記支持棒が拡開して立て且つ前記矩形フレームが前記ストッパー上に固定された時、前記傘被覆体と前記２個の棒ヒンジが傘を形成し、前記傘両側の扇子角度が調整でき、各前記棒ヒンジの前記支持棒を畳み込み且つ前記矩形フレームが前記リュックサック上に置いた時、前記傘被覆体と２個の棒ヒンジがリュックサックの保護カバーを形成する２個の棒ヒンジと、
を含むことを特徴とする覆える範囲を調整できるリュックサック用傘。
【発明の詳細な説明】
【技術分野】
【０００１】
本発明は、傘に関し、特に、手に持たないリュックサック用傘に関し、更に特に、覆える範囲を調整できるリュックサック用傘に関する。
【背景技術】
【０００２】
従来技術の傘或いはリュックサック用傘は、いずれも従来の傘形状で、傘の中心から外方へ放射状を呈し、人体両肩部に対し遮蔽効果があまりない。このほかに、気候の状況に応じて傘の覆える範囲を調整することができなかった。従来のリュックサック用傘は、手に持たないことができるが、機構が複雑で、使用上で不便であり、使用者の負担となり、使用者の携帯意欲がなかった。
【発明の概要】
【発明が解決しようとする課題】
【０００３】
本発明は、リュックサック上に固定されることができ、手で傘を持つ必要がなく、傘の両側に比較的大きな覆える範囲があり、人体両肩部を遮蔽でき、人間工学（ｅｒｇｏｎｏｍｉｃｓ）に適合し、雨天或いは晴天に適する覆える範囲を調整できるリュックサック用傘を提供することを目的とする。
【課題を解決するための手段】
【０００４】
上記目的を達成するため、本発明は覆える範囲を調整できるリュックサック用傘を提供する。この傘は、左側及び右側にピンと軸受とを備える矩形フレームと、該矩形フレームと結合して矩形の被覆体を形成する傘布と、各々防水扇面布を備え且つ各底部に各々心棒を有し、該矩形フレームの該左側軸受及び該右側軸受と結合する左側扇子及び右側扇子と、該矩形被覆体を該左側扇子及び該右側扇子と結合することで傘被覆体を形成し、該左側扇子及び該右側扇子の扇子角度を操作することによって該傘被覆体の覆える範囲を調整するために用いられる二組のベルクロ（登録商標）と、各棒ヒンジは支持枠と支持棒とを備え、各該支持棒の一端にストッパーと挿入孔とを有し、各々該挿入孔を通じて該矩形フレームのピンと連結し、且つ各々締め具を通じて該リュックサックの両肩ベルトと結合し、各該棒ヒンジの該支持棒が拡開して立て且つ該矩形フレームが該ストッパー上に固定された時、該傘被覆体と該２個の棒ヒンジが傘を形成し、該傘両側の扇子角度が調整でき、又は取り外して通常の扇子として使用でき、各該棒ヒンジの該支持棒を畳み込み且つ該矩形フレームが該リュックサック上に置いた時、該左側扇子或いは該右側扇子を取り外して通常の扇子として使用できる２個の棒ヒンジと、を含む。
【図面の簡単な説明】
【０００５】
【図１】本発明に係る覆える範囲を調整できるリュックサック用傘の外観分解図である。
【図２】本発明に係る覆える範囲を調整できるリュックサック用傘の外観立体図である。
【図３】図２の傘とリュックサックを結合して形成した通常使用の覆える範囲を調整できる傘の外観立体図である。
【図４】図３の傘の覆える範囲を減らした傘の外観立体図である。
【図５】図３の傘の右側扇子を取り外した外観立体図である。
【図６】図５の傘を畳んだ場合の外観立体図である。
【図７】図６の傘を畳んでリュックサック上に置いた場合の外観立体図である。
【図８】本発明の実施例２に係る覆える範囲を調整できるリュックサック用傘の外観分解図である。
【図９】本発明に係る扇子機構の外観立体図である。
【図１０】本発明の実施例２に係る覆える範囲を調整できるリュックサック用傘の外観立体図である。
【図１１】図１０の傘とリュックサックを結合して形成した通常使用の覆える範囲を調整できる傘の外観立体図である。
【図１２】図１１の傘の覆える範囲を減らした傘の外観立体図である。
【図１３】図１２の傘を畳んでリュックサック上に置いた場合の外観立体図である。
【発明を実施するための形態】
【０００６】
本発明で開示している覆える範囲を調整できるリュックサック用傘は、リュックサック上に固定されることができて手で傘を持つ必要がなく、左側扇子及び右側扇子の扇子角度を操作することによって傘の覆える範囲を調整でき、雨天或いは晴天に適し、傘の扇子機構も取り外して通常の扇子として使用できる。
【実施例１】
【０００７】
図１乃至図７は、本発明の実施例１に係る覆える範囲を調整できるリュックサック用傘の様子を示す。
【０００８】
図１は、本発明に係る覆える範囲を調整できるリュックサック用傘の外観分解図である。図に示すように、傘１０は、覆える範囲を調整できる傘被覆体１００と２個の棒ヒンジ（ｒｏｄ  ｈｉｎｇｅ）１４０、１５０とを含む。傘被覆体１００は、矩形フレーム１０８を備え、矩形フレーム１０８の左側及び右側に各々ピン（ｐｉｎ）１１２、１１０と軸受（ｂｅａｒｉｎｇ）１１６、１１４とを有する。傘布１０１は矩形フレーム１０８と結合して矩形被覆体を形成できる。傘布１０１の左右両側にはベルクロ（登録商標）（Ｖｅｌｃｒｏ）のフック部（ｈｏｏｋ）１０３、１０２と２個の小さな蓋片１０９、１０５を有する。
【０００９】
傘被覆体１００は、Ｘ形フレーム１０６と、凸起部１０４と、各々防水扇面布１３６、１２６を備え且つ各底部に各々心棒１３９、１２９を有し、矩形フレーム１０８の左側軸受１１６及び右側軸受１１４と結合する左側扇子１３０及び右側扇子１２０と、を更に含む。左側扇子１３０は、２個の親骨１３２、１３４と複数の中骨１３８とを備え、親骨１３２上にベルクロ（登録商標）のループ（ｌｏｏｐ）１３３を有する。右側扇子１２０は、２個の親骨１２２、１２４と複数の中骨１２８とを備え、親骨１２２上にベルクロ（登録商標）のループ１２３を有する。ベルクロ（登録商標）のループ１３３、１２３は、フック部１０３、１０２と結合するために用いられ、これを介して矩形被覆体を左側扇子１３０及び右側扇子１２０と結合して傘被覆体１００を形成し、左側扇子１３０及び右側扇子１２０の扇子角度を操作することによって、傘被覆体１００の覆える範囲を調整することができる。
【００１０】
傘１０の棒ヒンジ１５０、１４０は、各々支持枠１５７、１４７と支持棒１５６、１４６とを備え、各支持棒１５６、１４６の一端にストッパー１５４、１４４と挿入孔１５２、１４２とを有する。挿入孔１５２、１４２は、矩形フレーム１０８のピン１１２、１１０と連結するために用いられる。支持枠１５７、１４７は、各々ベース１５８、１４８と締め具１５９、１４９とを備える。棒ヒンジ１５０、１４０の支持棒１５６、１４６は、調整可能角度の範囲内において該角度で支持棒１５６、１４６を固定することができる。連接棒１８０は、選択的なアセンブリで、２個の棒ヒンジ１５０、１４０の連結を強化するために用いられている。本発明に係る矩形フレーム、親骨或いは中骨の素材は、竹、チタン合金又はアルミニウム合金から形成されている。
【００１１】
図２は、本発明に係る覆える範囲を調整できるリュックサック用傘の外観立体図である。図に示すように、覆える範囲を調整できる傘被覆体１００及び２個の棒ヒンジ１４０、１５０を結合して傘１０が形成されている。その結合方法は、矩形フレーム１０８のピン１１２、１１０を各々挿入孔１５２、１４２と連結させると共に連接棒１８０で棒ヒンジ１５０、１４０の連結を強化している。傘被覆体１００の形成方法は、Ｘ形フレーム１０６、凸起部１０４を矩形フレーム１０８内に入れから傘布１０１が矩形フレーム１０８と結合され、そして矩形フレーム１０８の左側軸受１１６及び該右側軸受１１４が各々心棒１３９、１２９に結合され、且つベルクロ（登録商標）のループ１３３、１２３がフック部１０３、１０２に結合されている。
【００１２】
棒ヒンジ１４０、１５０の支持棒１５６、１４６は、拡開して立設されており、且つ矩形フレーム１０８がストッパー１５４、１４４上に固定された時、傘被覆体１００及び２個の棒ヒンジ１４０、１５０によって、図２に示すような正常に使用できる傘１０が形成される。
【００１３】
図３は、図２の傘とリュックサックを結合して形成した正常使用の覆える範囲を調整できる傘の外観立体図である。図に示すように、傘１０の２個の棒ヒンジ１４０、１５０は、各々締め具１５９、１４９を通じてリュックサック４００の両肩ベルト４３０、４２０と結合され、傘被覆体１００による正常使用の覆える範囲を調整することができる。リュックサック４００は、一般的なリュックサックで、前面４０２と背面４１０を有し、前面４０２にポケット４０４を有し、背面４１０に肩ベルト４３０、４２０を有する。
【００１４】
図４は、図３の傘の覆える範囲を減らした傘の外観立体図である。図に示すように、左側扇子１３０及び右側扇子１２０の扇子角度を操作することによって傘被覆体１００による覆える範囲を調整するこができる。すなわち、傘被覆体１００による覆える範囲を減らすことができる。親骨１３４は、左側扇子１３０の扇子角度を操作するために用いられ、親骨１２４が右側扇子１２０の扇子角度を操作するために用いられる。
【００１５】
図５は、図３の傘の右側扇子を取り外した外観立体図である。図に示すように、傘３０は、図３の傘被覆体１００の右側扇子１２０が取り外された傘被覆体２００が形成され、右側扇子１２０が通常の扇子として使用する。図５上方の２つの矢印は、傘３０の畳み込む操作方法を指示するためのである。
【００１６】
図６は、図５の傘を畳んだ場合の外観立体図である。図に示すように、傘４０は、図５上方の２つの矢印で指示する操作方法により、左側扇子１３０を閉じてから図５の傘被覆体２００が回転されて傘被覆体３００が形成される。図５右側の矢印は、傘４０の畳み込む操作方法を指示するものである。
【００１７】
図７は、図６の傘を畳んでリュックサック上に置いた場合の外観立体図である。図に示すように、傘４２は、図６右側の矢印で指示する操作方法により、棒ヒンジ１４０、１５０の支持棒１５６、１４６が畳み込まれ、且つ傘被覆体３２０の矩形フレーム１０８がリュックサック４００上に置かれる。右側扇子１２０は、通常の扇子として使用する。
【実施例２】
【００１８】
図８乃至図１３は、本発明の実施例２に係る覆える範囲を調整できるリュックサック用傘の様子を示す。
【００１９】
図８は、本発明の実施例２に係る覆える範囲を調整できるリュックサック用傘の外観分解図である。図に示すように、傘５０は、覆える範囲を調整できる傘被覆体５００と２個の棒ヒンジ（ｒｏｄ  ｈｉｎｇｅ）１４０、１５０とを含む。傘被覆体５００は、矩形フレーム５１１を備え、矩形フレーム５１１の左側及び右側に各々ピン（ｐｉｎ）５１２、５１３と軸受（ｂｅａｒｉｎｇ）５１６、５１４とを有する。傘布５０１は矩形傘布５０２と左側扇形布５０４と右側扇形布５０３とを含む。左側傘形布５０４の左側にはベルクロ（登録商標）（Ｖｅｌｃｒｏ）の２つのフック部（ｈｏｏｋ）５０７、５０８を有する。右側傘形布５０４は、ベルクロ（登録商標）の２つのフック部５０５、５０６を有する。
【００２０】
傘被覆体５００は、Ｘ形フレーム５１０と、凸起部５０９と、左側扇子フレーム５３０及び右側扇子フレーム５２０とを備え、且つ左側扇子フレーム５３０及び右側扇子フレーム５２０の各底部に各々心棒５３９、５２９を有し、矩形フレーム５１１の左側軸受５３９及び右側軸受５２９に結合される。左側扇子フレーム５３０は、２個の親骨５３２、５３４と複数の中骨５３６とを備え、親骨５３２上にベルクロ（登録商標）のループ５３３を有し、親骨５３４上にベルクロ（登録商標）のループ５３８を有する。右側扇子フレーム５２０は、２個の親骨５２２、５２４と複数の中骨５２６とを備え、親骨５２２上にベルクロ（登録商標）のループ５２３を有し、親骨５２４上にベルクロ（登録商標）のループ５２８を有する。ベルクロ（登録商標）のループ５３３、５２３は、フック部５０７、５０５と結合するために用いられ、ベルクロ（登録商標）のループ５３８、５２８がフック部５０８、５０６と結合するために用いられ、これを介して傘布５０１、矩形フレーム５１１、左側扇子フレーム５３０及び右側扇子フレーム５２０が結合されることで傘被覆体５００が形成され、左側扇子フレーム５３０及び右側扇子フレーム５２０の扇子角度を操作することによって、傘被覆体５００による覆える範囲を調整することができる。
【００２１】
傘５０の棒ヒンジ１５０、１４０は、各々支持枠１５７、１４７と支持棒１５６、１４６とを備え、各支持棒１５６、１４６の一端にストッパー１５４、１４４と挿入孔１５２、１４２とを有する。挿入孔１５２、１４２は、矩形フレーム５１１のピン５１２、５１３と連結するために用いられる。支持枠１５７、１４７は、各々ベース１５８、１４８と締め具１５９、１４９とを備える。棒ヒンジ１５０、１４０の支持棒１５６、１４６は、調整可能角度の範囲内において該角度で支持棒１５６、１４６を固定することができる。連接棒１８０は、選択的なアセンブリで、２個の棒ヒンジ１５０、１４０の連結を強化するために用いられることができる。本発明に係る矩形フレーム５１１、左側扇子フレーム５３０或いは右側扇子フレーム５２０の素材は、竹、チタン合金又はアルミニウム合金とする。
【００２２】
図９は、本発明に係る扇子機構の外観立体図である。図に示すように、図８右側の一部の傘形布５０３は、複数の傘形折り目を付けた布地５５０を備え、各折り目を付けた布地５５０が孔部５５２と内溝５５４と外表面５５６とを有し、各中骨５２６を孔部５５２に挿通して内溝５５４内に入ると、図９の扇子機構を形成できる。
【００２３】
図１０は、本発明の実施例２に係る覆える範囲を調整できるリュックサック用傘の外観立体図である。図に示すように、覆える範囲を調整できる傘被覆体５００及び２個の棒ヒンジ１４０、１５０が結合されて傘５０が形成され、結合方法が矩形フレーム５１１のピン５１２、５１３が各々挿入孔１５２、１４２に連結されると共に連接棒１８０で棒ヒンジ１５０、１４０の連結が強化される。傘被覆体５００の形成方法は、Ｘ形フレーム５１０、凸起部５０９が矩形フレーム５１１内に入れられてから矩形フレーム５１１の左側軸受５１６及び該右側軸受５１４が各々心棒５３９、５２９に結合され、更に傘布５０１が矩形フレーム５１１、左側扇子フレーム５３０及び右側扇子フレーム５２０に結合され、且つベルクロ（登録商標）のループ５３３、５２３がフック部５０７、５０５に結合され、ループ５３８、５２８がフック部５０８、５０６に結合される。
【００２４】
棒ヒンジ１４０、１５０の支持棒１５６、１４６は、拡開して立設され、且つ矩形フレーム５１１がストッパー１５４、１４４上に固定された時、傘被覆体５００及び２個の棒ヒンジ１４０、１５０によって、図１０に示すような正常に使用できる傘５０が形成される。
【００２５】
図１１は、図１０の傘とリュックサックを結合して形成した正常使用の覆える範囲を調整できる傘の外観立体図である。図に示すように、傘５０の２個の棒ヒンジ１４０、１５０は、各々締め具１５９、１４９を通じてリュックサック４００の両肩ベルト４３０、４２０に結合されることで、傘被覆体５００による正常使用の覆える範囲を調整できる傘５０が形成される。
【００２６】
図１２は、図１１の傘の覆える範囲を減らした傘の外観立体図である。図に示すように、左側扇子フレーム５３０及び右側扇子フレーム５２０の扇子角度を操作することによって傘被覆体６００による覆える範囲を調整することができる。すなわち、傘被覆体６００によって覆える範囲を減らす傘６０を形成することができる。親骨５３４は、左側扇子フレーム５３０の扇子角度を操作するために用いられ、親骨５２４が右側扇子フレーム５２０の扇子角度を操作するために用いられる。図１２上方の３つの矢印は、傘６０の畳み込む操作方法を指示するためのである。
【００２７】
図１３は、図１２の傘を畳んでリュックサック上に置いた場合の外観立体図である。図に示すように、畳んだ傘６０は、リュックサックの保護カバー７０として使用することができる。リュックサックの保護カバー７０は、図１２上方の３つの矢印で指示する操作方法により、左側扇子フレーム５３０及び右側扇子フレーム５２０を畳んでから図１２の傘被覆体６００が回転されて傘被覆体７００が形成される。そして、棒ヒンジ１４０、１５０の支持棒１５６、１４６を畳み且つ傘被覆体７００の矩形フレーム５１１がリュックサック４００上に置かれてリュックサックの保護カバー７０が形成される。
【産業上の利用可能性】
【００２８】
従来の傘又はリュックサック用傘に比べると、本発明は次の利点を有する。まず、本発明の実施例は極めて簡単な機構を介して覆える範囲を調整できるリュックサック用傘を実現し、その中の扇子機構が傘の覆える範囲を調整できる。次に、本発明の傘スタイルは、全く新しいスタイルで、傘両側に比較的大きな覆える範囲を有し、人体両肩部を遮蔽でき、人間工学（ｅｒｇｏｎｏｍｉｃｓ）に適合する。更に、傘の扇子機構は、取り外されて通常の扇子として使用できる。最後に、使用者がこの傘を数回使用した後、リュックサックを外さない状態においても、傘の開閉を行うことができる。
【符号の説明】
【００２９】
１０、２０、３０、４０、４２、５０、６０       傘
１００、２００、３００、３２０、５００、６００、７００ 傘被覆体
１０１、５０１       傘布
１０２、１０３、５０５、５０６,５０７、５０８  フック部（ｈｏｏｋ）
１０４、５０９       凸起部
１０５、１０９       蓋片
１０６、５１０       Ｘ形フレーム
１０８、５１１       矩形フレーム
１１０、１１２、５１２、５１３  ピン（ｐｉｎ）
１１４、５１４       右側軸受
１１６、５１６       左側軸受（ｂｅａｒｉｎｇ）
１２０               右側扇子
１２２、１２４、１３２、１３４、５２２、５２４、５３２、５３４            親骨
１２３、１３３、５２３、５３３、５２８、５３８ ループ（ｌｏｏｐ）
１２６、１３６       防水扇面布
１２８、１３８、５２６、５３６  複数の中骨
１２９、１３９、５２９、５３９  心棒
１３０               左側扇子
１４０、１５０       棒ヒンジ
１４２、１５２       挿入孔
１４４、１５４       ストッパー
１４６、１５６       支持棒
１４７、１５７       支持枠
１４８、１５８       ベース
１４９、１５９       締め具
１８０               連接棒
４００               リュックサック
４０２               前面
４０４               ポケット
４２０、４３０       肩ベルト
４１０               背面+
５０２               矩形傘布
５０３               右側扇形布
５０４               左側扇形布
５２０               右側扇子フレーム
５３０               左側扇子フレーム
５５０               傘形折り目を付けた布地
５５２               孔部
５５４               内溝
５５６               外表面
【図１】
2018033934.tif 000003
【図２】
2018033934.tif 000004
【図３】
2018033934.tif 000005
【図４】
2018033934.tif 000006
【図５】
2018033934.tif 000007
【図６】
2018033934.tif 000008
【図７】
2018033934.tif 000009
【図８】
2018033934.tif 000010
【図９】
2018033934.tif 000011
【図１０】
2018033934.tif 000012
【図１１】
2018033934.tif 000013
【図１２】
2018033934.tif 000014
【図１３】
2018033934.tif 000015